(57)【要約】【課題】刺激のない殺菌、抗炎症、および脱臭の良い効果を備えた遠赤外陰イオン錯体生理用ナプキン／パッドを提供する。【解決手段】遠赤外陰イオン錯体生理用ナプキン／パッドは、上層から下層への順に、織物層と、吸収層と、防水被覆層と、接着層と、植物エキス層と、遠赤外陰イオン繊維層とを備える。植物エキス層は、抽出された植物エキス液に浸された紙／布層である。遠赤外陰イオン繊維層は、陰イオン母粒子と、遠赤外母粒子と、ホモポリマー担体または紡糸液とを混合することによって得られる繊維から織られる。陰イオン母粒子は、大気中の陰イオンを活性化するナノグレードの鉱物粉末から作られる。遠赤外母粒子は、遠赤外線を活性化するナノグレードの鉱物粉末から作られる。生理用ナプキン／パッドの利点は、殺菌、滅菌、抗炎症、皮膚への利益、消臭、および様々な婦人科系疾患の予防を含み、また、陰イオンによって運ばれる酸素レベルを高め、エキス液の皮膚への刺激を最小限にする。【選択図】図２
0003141192.tif 000002
【実用新案登録請求の範囲】
【請求項１】
上層から下層への順に張り合わされた、織物層と、吸収層と、防水被覆層と、接着層と、を備え、複数層の構造を有する遠赤外陰イオン錯体生理用ナプキン／パッドであって、
堅固に張り合わされた植物エキス層と、
遠赤外陰イオン繊維層と、を更に、備え、
前記植物エキス層が、抽出された植物エキス液に浸された紙／布層であり、
前記遠赤外陰イオン繊維層が、８〜１０重量％の陰イオン母粒子と、８〜１０重量％の遠赤外母粒子と、ホモポリマー担体または紡糸液と、の混合物から形成される繊維から織られ、
前記陰イオン母粒子が、大気中の陰イオンを活性化することのできるナノグレードの鉱物粉末から作られ、
前記遠赤外母粒子が、遠赤外線を活性化することのできるナノグレードの鉱物粉末から作られる、遠赤外陰イオン錯体生理用ナプキン／パッド。
【請求項２】
大気中の陰イオンを活性化することのできる前記ナノグレードの鉱物粉末が、ナノグレードのトルマリン微粉末であり、
遠赤外線を活性化できる前記ナノグレードの鉱物粉末が、ナノグレードの遠赤外セラミック微粉末である、請求項１に記載の遠赤外陰イオン錯体生理用ナプキン／パッド。
【請求項３】
前記植物エキス液が、３〜８重量部のユリと、８〜１４重量部のスイカズラの花と、３〜８重量部のキクの花と、４〜９重量部のボタンと、３〜８重量部のコウシンバラと、２〜６重量部のクローブと、３〜８重量部のオレンジの花と、１〜６重量部のカントウの花と、３〜８重量部のハスと、８〜１６重量部のジャスミンの花と、５〜１０重量部のバラと、６〜１０重量部の西洋シャクヤクと、３〜８重量部のネムノキの花と、３〜６重量部のロウバイの花と、５〜１２重量部のペパーミントと、４〜１０重量部のカンゾウと、３〜８重量部のヨモギの葉と、４〜８重量部のショウブの根茎と、３〜１２重量部のラベンダーと、２〜１０重量部のレモングラスとからなる植物混合物から抽出されたブレンド精油の１０００〜１２００倍希釈液である、請求項１に記載の遠赤外陰イオン錯体生理用ナプキン／パッド。
【請求項４】
前記生理用ナプキン／パッドが漢方エキス層をさらに含み、
前記漢方エキス層が、漢方エキス液に浸された紙／布層である、請求項１に記載の遠赤外陰イオン錯体生理用ナプキン／パッド。
【請求項５】
前記漢方エキス液が、５〜１２重量部の乾燥ジオウ根と、８〜１６重量部のゲンジンと、４〜８重量部のアンゼリカと、８〜１６重量部のスイカズラの花と、５〜１２重量部のレンギョウの実と、５〜１２重量部のバイカリンと、４〜８重量部のセキシャクの根と、５〜１２重量部のボタンの樹皮と、５〜１２重量部のブクリョウの皮と、１〜５重量部のカンゾウと、６〜１５重量部のクジンと、１２〜１８重量部のオカゼリの実と、１２〜１８重量部のジフシと、１２〜１８重量部のハクセンビと、４〜８重量部のサンショウの皮と、１〜４重量部の岩塩と、からなる漢方薬草の混合物を調理し、濾過し、次に精製することによって得られる、請求項４に記載の遠赤外陰イオン錯体生理用ナプキン／パッド。
【請求項６】
前記吸収層に、ナノ銀と、竹酢または竹炭と、が加えられた、請求項１に記載の遠赤外陰イオン錯体生理用ナプキン／パッド。
【請求項７】
前記吸収層が、２０ｎｍ未満の直径を有する前記ナノ銀０．００１〜５重量部と、前記竹酢０．１〜１０重量部、または前記竹炭０．１〜１０重量部と、が加えられ、前記吸収層に付着された前記ナノ銀の量が１〜４００μｃｍ２である、請求項６に記載の遠赤外陰イオン錯体生理用ナプキン／パッド。
【請求項８】
前記紙／布層が、薄葉紙層、不織布層、またはパフコットン層である、請求項７に記載の遠赤外陰イオン錯体生理用ナプキン／パッド。
【請求項９】
前記植物エキス層が、前記織物層の下、かつ、前記遠赤外陰イオン繊維層の上にある、請求項８に記載の遠赤外陰イオン錯体生理用ナプキン／パッド。
【請求項１０】
前記漢方エキス層が、前記吸収層の上、かつ、前記遠赤外陰イオン繊維層の下にある、請求項９に記載の遠赤外陰イオン錯体生理用ナプキン／パッド。
【考案の詳細な説明】
【技術分野】
【０００１】
本考案は、生理用ナプキン／パッドに関し、具体的には、遠赤外陰イオン錯体生理用ナプキン／パッドに関する。
【背景技術】
【０００２】
調査によると、大多数の女性は、様々な程度の婦人科系の炎症を患っている。性器のかゆみは、カンジダ菌の軽い感染によって引き起こされ、この感染は、膣内の酸性度の減少を引き起こす月経中のホルモン変化、さらに生理用ナプキンの不浸透性、および膣を細菌の培養媒体にしてしまう膣部位の空気循環の悪さによる。この症状は、蒸し暑くて湿気の多い天候の際にはより悪くなる。月経はまた、女性の日常生活および仕事に大きな影響を及ぼす不快なにおいを放出する。したがって、生理用ナプキンの抗炎症および脱臭についての機能が、より一層、人々の注目を集めている。
【０００３】
現在のところ、生理用ナプキンの抗炎症および脱臭の効果のための解決法について、最も一般的なやり方は、抗炎症薬を生理用ナプキンの上に直接加えることである。しかしながら、この種の生理用ナプキンを用いたとき、薬剤が膣の周辺部位に直接影響を及ぼして、それが、アレルギー性反応、いくらかの副作用、または接触部位に対する不快感を引き起こすことがある。また、月経は、薬剤の効能を減少させることがある。結果として、この種の生理用ナプキンは、広く用いるには適さない。
【考案の開示】
【考案が解決しようとする課題】
【０００４】
したがって、本考案の目的は、刺激のない殺菌、抗炎症、および脱臭の良い効果を備えた遠赤外陰イオン錯体生理用ナプキン／パッドを提供することである。
【課題を解決するための手段】
【０００５】
上記の目的を達成するために、本考案は、以下の技術的解決法によって実行される。
【０００６】
複数層の構造を有する遠赤外陰イオン錯体生理用ナプキン／パッドは、上層から下層の順に、織物層と、吸収層と、防水被覆層と、接着層とを備え、これらの層が堅固に張り合わされている。生理用ナプキン／パッドは、互いに堅固に取り付けられた植物エキス層と、遠赤外陰イオン繊維層とをさらに備える。植物エキス層は、抽出された植物エキス液に浸された紙／布層であり、遠赤外陰イオン繊維層は、８〜１０重量％の陰イオン母粒子と、８〜１０重量％の遠赤外母粒子と、ホモポリマー担体または紡糸液と、の混合物から得られる繊維から織られる。陰イオン母粒子は、大気中の陰イオンを活性化する、１０ｎｍ未満の直径を有するナノグレードの鉱物粉末から作られる。遠赤外母粒子は、遠赤外線を活性化する、１０ｎｍ未満の直径を有するナノグレードの鉱物粉末から作られる。
【０００７】
好ましくは、大気中の陰イオンを活性化するナノグレードの鉱物粉末は、１０ｎｍ未満の直径を有するナノグレードのトルマリン微粉末である。遠赤外線を活性化するナノグレードの鉱物粉末は、１０ｎｍ未満の直径を有するナノグレードの遠赤外セラミック微粉末である。
【０００８】
好ましくは、植物エキス液は、３〜８重量部のユリと、８〜１４重量部のスイカズラの花と、３〜８重量部のキクの花と、４〜９重量部のボタンと、３〜８重量部のコウシンバラと、２〜６重量部のクローブと、３〜８重量部のオレンジの花と、１〜６重量部のカントウの花と、３〜８重量部のハスと、８〜１６重量部のジャスミンの花と、５〜１０重量部のバラと、６〜１０重量部の西洋シャクヤクと、３〜８重量部のネムノキの花と、３〜６重量部のロウバイの花と、５〜１２重量部のペパーミントと、４〜１０重量部のカンゾウと、３〜８重量部のヨモギの葉と、４〜８重量部のショウブの根茎と、３〜１２重量部のラベンダーと、２〜１０重量部のレモングラスとからなる植物混合物から作られる。植物混合物は、抽出を経て、ブレンド精油を得、次にこのブレンド精油が１０００〜１２００倍に希釈されて植物エキス液を得る。
【０００９】
遠赤外陰イオン錯体生理用ナプキン／パッドは、また、漢方エキス層を含むものでもよい。漢方エキス層は、漢方エキス液に浸された紙／布層である。
【００１０】
好ましくは、漢方エキス液は、５〜１２重量部の乾燥ジオウ根と、８〜１６重量部のゲンジンと、４〜８重量部のアンゼリカと、８〜１６重量部のスイカズラの花と、５〜１２重量部のレンギョウの実と、５〜１２重量部のバイカリンと、４〜８重量部のセキシャクの根と、５〜１２重量部のボタンの樹皮と、５〜１２重量部のブクリョウの皮と、１〜５重量部のカンゾウと、６〜１５重量部のクジンと、１２〜１８重量部のオカゼリの実と、１２〜１８重量部のジフシと、１２〜１８重量部のハクセンビと、４〜８重量部のサンショウの皮と、１〜４重量部の岩塩とを含む漢方薬草の混合物から作製される。次に、漢方薬草の混合物は調理され、濾過され、精製されて、漢方エキス液を得る。
【００１１】
好ましくは、ナノ銀と、竹酢または竹炭と、が吸収層の中に加えられる。加えられるのは、２０ｎｍ未満の直径を有するナノ銀０．０１〜５重量部と、竹酢０．１〜１０重量部または竹炭０．１〜１０重量部と、を含むものが好ましい。吸収層上のナノ銀の量は１〜４００μｇ／ｃｍ２である。
【００１２】
好ましくは、紙／布層は、薄葉紙層、不織布層、またはパフコットン層である。
【００１３】
好ましくは、植物エキス層は、織物層の下、かつ、遠赤外陰イオン繊維層の上にある。
【００１４】
好ましくは、漢方エキス層は、吸収層の上、かつ、遠赤外陰イオン繊維層の下にある。
【００１５】
好ましくは、接着層は、中断された縞の接着層であって、この層が空気流を改善する。
【考案の効果】
【００１６】
本考案の利点は、（１）植物エキス液が、滅菌、抗炎症、および皮膚への利益の特徴を有するだけでなく、下層の薬剤が接触されている皮膚を直接刺激するのを防ぐこと。（２）遠赤外陰イオン繊維層に堅固に張り付いている植物エキス層が、陰イオンが運ぶことのできる酸素の量を増す能力を有し、その能力が女性の健康に有益であること。（３）漢方エキス液が、女性の外陰部のかゆみ、異常な白帯下、および膣炎に著しい有益な効果を有すること。（４）遠赤外陰イオン繊維層の遠赤外母粒子が、膣の周囲の微小循環を容易にし、生理的酵素の量および膣の酸性分泌物を増し、ＰＨ値を調整し、女性の体の免疫を増強すること。陰イオン母粒子から放出される陰イオンが、殺菌、滅菌の特徴を有し、多くの婦人科系疾患を防止すること。（５）吸収層の追加のナノ銀および竹酢または竹炭が、滅菌、抗炎症、および消臭の特徴を有すること。生理用ナプキン／パッドに遠赤外陰イオン繊維層とともに用いられたとき、この効果が大いに強化されるであろうこと。（６）遠赤外陰イオン繊維を従来の表面被覆法と比較したとき、遠赤外線を発生する繊維がより良い耐久性を有することである。
【００１７】
具体的に、例えば、本考案によれば、遠赤外陰イオン繊維層は、陰イオンおよび遠赤外線を自動的に放出する。遠赤外陰イオン繊維を従来の表面被覆法と比較すると、この種の繊維から発生される遠赤外線は、より耐久性を有する。遠赤外母粒子が人体と接触して湿ったとき、遠赤外母粒子は、人体の皮下組織を透過する遠赤外線を放出する。遠赤外線は、人体の微小循環系、代謝、および免疫を強化する。陰イオンはまた、良い殺菌効果を有する。マイナス酸素イオンは、細菌の細胞膜または原形質酵素の活性を破壊できる高い活性を有する。さらに、陰イオンが細菌と結合すると、細菌の構造が変化されるか、またはエネルギーが変換されて、それが細菌の死滅をもたらし、新しいバクテリンを生成する能力を不能にする。こうして、殺菌および滅菌の目的を果たすことができると考えられる。
【００１８】
陰イオン粉末は空気をイオン化でき、また、熱電気および圧電気の特性を有する。したがって、温度および圧力のわずかな変化の下で、陰イオン粉末は陰イオン結晶同士の間に電圧の差を発生する。静電気の電圧は、電界を発生し、最大１００万ボルトになることがある。高い電圧が電界内の空気をイオン化し、衝突された電子が近くの水および酸素の分子にくっつき、それが空気の陰イオン、即ち、マイナス水素イオンおよびマイナス酸素イオンに変化する。両マイナスイオンは、殺菌、滅菌、および多くの婦人科系疾患の予防の特徴を有する。
【００１９】
陰イオンのライニングは、柔らかさ、耐水性、および陰イオンの明らかな効果の利点を有する。加えられた赤外線放出材によって特に、遠赤外線陰イオン繊維は、血液循環を改善し、睡眠を助け、製品の健康上の利益を高める陰イオンおよび赤外線を生成できる。したがって、生理用ナプキン／パッドにこの技術を用いることが、膣の周囲の微小循環の改善、生物酵素の量の増加、膣内の酸性分泌物の増加、およびＰＨ値の調整を助ける。これらすべての効果が、女性の健康に有益である。
【００２０】
植物エキス液は、殺菌、滅菌、および皮膚への利益の特徴を有する。植物エキス液はまた、陰イオン材が運ぶことのできる酸素の量を増加させる能力を有し、これは女性の健康に大いに有益である。
【００２１】
また、漢方エキス層を含むものにおいて、漢方エキス液は、女性の外陰部のかゆみ、異常な白帯下、および膣炎に著しい有益な効果を有する。
【００２２】
また、吸収層にナノ銀及び竹酢又は竹炭が加えられたものにおいて、ナノ銀は、耐久性効果、広スペクトル、強い殺菌効果、より良い安定性、水との相互作用におけるより良い効果、無毒性、および環境への汚染がないことの特性を有する。より重要なことは、殺菌、抗炎症、および消臭の効果を改善するために、生理用ナプキン／パッドの遠赤外陰イオン繊維層とともに働く遠赤外線を放出する能力を、ナノ銀が有することである。また、竹酢のエタノール材は、皮膚を浄化および滅菌する特徴を有する。したがって、竹酢は、滅菌、かゆみの緩和、および消臭の利益を有する。また、竹炭中の酢酸、エチルエーテル、およびアルコールは、消臭、殺菌、および水分吸収の利益を有する。
【考案を実施するための最良の形態】
【００２３】
以下、図面を参照して本考案の実施の形態について説明する。なお、各図において、同一または相当する部分には同一符号を付してその説明を簡略化ないし省略する。
【００２４】
実施形態１．
図１は、実施形態１の生理用ナプキン／パッドの概略図であり、一部に透視部分を含む上面図である。図２は、実施の形態１の整理用ナプキン／パッドの断面の概略図である。
図１および２を参照して、遠赤外陰イオン錯体生理用ナプキン／パッドの複数の複合構造が示されている。上層から下層へ、生理用ナプキン／パッドは、順に、織物層１、植物エキス層２、遠赤外陰イオン繊維層３、漢方エキス層４、吸収層５、防水被覆層６、および接着層７を含む。すべての層は、堅固に張り合わされている。
【００２５】
植物エキス層２は、抽出された植物エキス液に浸された不織布である。植物エキス液は、５重量部のユリと、９重量部のスイカズラの花と、４重量部のキクの花と、６重量部のボタンと、５重量部のコウシンバラと、２重量部のクローブと、４重量部のオレンジの花と、５重量部のカントウの花と、６重量部のハスと、１０重量部のジャスミンの花と、８重量部のバラと、７重量部の西洋シャクヤクと、４重量部のネムノキの花と、５重量部のロウバイの花と、８重量部のペパーミントと、６重量部のカンゾウと、５重量部のヨモギの葉と、６重量部のショウブの根茎と、８重量部のラベンダーと、６重量部のレモングラスとを含む植物混合物から作られる。植物混合物は抽出を経て、ブレンド精油を得、次に、このブレンド精油が１０００倍に希釈される。植物エキス液は、殺菌、滅菌、および皮膚への利益の特徴を有する。また、植物エキス液は、陰イオン材が運ぶことのできる酸素の量を増す能力を有する。
【００２６】
漢方エキス層４は、抽出された漢方エキス液に浸された不織布層である。漢方エキス液は、９重量部の乾燥ジオウ根と、１２重量部のゲンジンと、６重量部のアンゼリカと、１２重量部のスイカズラの花と、９重量部のレンギョウの実と、９重量部のバイカリンと、６重量部のセキシャクの根と、９重量部のボタンの樹皮と、９重量部のブクリョウの皮と、３重量部のカンゾウと、１０重量部のクジンと、１５重量部のオカゼリの実と、１５重量部のジフシと、１５重量部のハクセンビと、６重量部のサンショウの皮と、２重量部の岩塩とを含む漢方薬草の混合物から作られる。漢方薬草の混合物は、調理され、濾過され、次に精製されて、漢方エキス液を得る。漢方エキス液は、女性の外陰部のかゆみ、異常な白帯下、および膣炎に著しい有益な効果を有する。
【００２７】
遠赤外陰イオン繊維層３は、９重量％の陰イオン母粒子と、９重量％の遠赤外母粒子と、ホモポリマー担体または紡糸液との混合物から作られる繊維から織られる。陰イオン母粒子は、大気中の陰イオンを活性化するナノグレードのトルマリン微粉末から作製される。遠赤外母粒子は、遠赤外線を活性化するナノグレードの遠赤外セラミック微粉末から作られる。遠赤外陰イオン繊維層３は、陰イオンおよび遠赤外線を自動的に放出できる。
【００２８】
吸収層５は、ナノ銀および竹炭を加えられる。加えられるのは、２０ｎｍ未満の直径を有するナノ銀０．１重量部と、１重量部の竹酢と、１重量部の竹炭とを含む。吸収層に付着されるナノ銀の量は、８０μｇ／ｃｍ２である。
【００２９】
接着層７は、中断された縞の接着層であり、この層が空気流を改善する。
【００３０】
実施形態２
図３は、この考案の実施の形態２の生理用ナプキン／パッドの断面の概略図である。図３に示すように、本実施形態と実施形態１との違いは、漢方エキス層４が除外されていることである。他の構成は、実施形態１の生理用ナプキン／パッドと実質的に同じである。
【００３１】
実施形態３
図１および２に示すように、実施形態３の生理用ナプキン／パッドは、上層から下層へと順に、織物層１、植物エキス層２、遠赤外陰イオン繊維層３、漢方エキス層４、吸収層５、防水被覆層６、および接着層７を含む。すべての層は、堅固に張り合わされている。
【００３２】
植物エキス層２は、抽出された植物エキス液に浸されたパフコットン層である。植物エキス液は、３重量部のユリと、８重量部のスイカズラの花と、３重量部のキクの花と、４重量部のボタンと、３重量部のコウシンバラと、２重量部のクローブと、３重量部のオレンジの花と、１重量部のカントウの花と、３重量部のハスと、８重量部のジャスミンの花と、５重量部のバラと、６重量部の西洋シャクヤクと、３重量部のネムノキの花と、３重量部のロウバイの花と、５重量部のペパーミントと、４重量部のカンゾウと、３重量部のヨモギの葉と、４重量部のショウブの根茎と、３重量部のラベンダーと、２重量部のレモングラスとからなる植物混合物から作られる。混合物は、抽出を経て、ブレンド精油を得、次に、このブレンド精油が１２００倍に希釈される。植物エキス液は、殺菌、滅菌、および皮膚への利益の特徴を有する。また、植物エキス液は、陰イオン材が運ぶことのできる酸素の量を増す能力を有する。
【００３３】
漢方エキス層４は、抽出された漢方エキス液に浸されたパフコットン層である。漢方エキス液は、５重量部の乾燥ジオウ根と、８重量部のゲンジンと、４重量部のアンゼリカと、８重量部のスイカズラの花と、５重量部のレンギョウの実と、５重量部のバイカリンと、４重量部のセキシャクの根と、５重量部のボタンの樹皮と、５重量部のブクリョウの皮と、１重量部のカンゾウと、６重量部のクジンと、１２重量部のオカゼリの実と、１２重量部のジフシと、１２重量部のハクセンビと、４重量部のサンショウの皮と、１重量部の岩塩とを含む漢方薬草の混合物から作られる。漢方薬草の混合物は、調理され、濾過され、次に精製されて、漢方エキス液を得る。漢方エキス液は、女性の外陰部のかゆみ、異常な白帯下、および膣炎に著しい有益な効果を有する。
【００３４】
遠赤外陰イオン繊維層３は、８重量％の陰イオン母粒子と、８重量％の遠赤外母粒子と、ホモポリマー担体または紡糸液との混合物から作られる繊維から織られる。陰イオン母粒子は、大気中の陰イオンを活性化するナノグレードのトルマリン微粉末から作られる。遠赤外母粒子は、遠赤外線を活性化するナノグレードの遠赤外セラミック微粉末から作製される。遠赤外陰イオン繊維層３は、陰イオンおよび遠赤外線を自動的に放出できる。
【００３５】
吸収層５は、ナノ銀および竹炭を加えられる。加えられるのは、２０ｎｍ未満の直径を有するナノ銀０．０１重量部と、０．１重量部の竹炭とを含む。吸収層に付着されるナノ銀の量は、５μｇ／ｃｍ２である。
【００３６】
接着層７は、中断された縞の接着層であり、この層が空気流を改善する。
【００３７】
実施形態４
図３に示すように、本実施形態と実施形態３との違いは、漢方エキス層４が除外されていることである。その他の構成は、実施形態３の生理用ナプキン／パッドと実質的に同じである。
【００３８】
実施形態５
図１および２に示すように、実施形態５の生理用ナプキン/パッドは、上層から下層へと、織物層１、植物エキス層２、遠赤外陰イオン繊維層３、漢方エキス層４、吸収層５、防水被覆層６、および接着層７を含む。すべての層は、堅固に張り合わされている。
【００３９】
植物エキス層２は、抽出された植物エキス液に浸されたパフコットン層である。植物エキス液は、８重量部のユリと、１４重量部のスイカズラの花と、８重量部のキクの花と、９重量部のボタンと、８重量部のコウシンバラと、６重量部のクローブと、８重量部のオレンジの花と、６重量部のカントウの花と、８重量部のハスと、１６重量部のジャスミンの花と、１０重量部のバラと、１０重量部の西洋シャクヤクと、８重量部のネムノキの花と、６重量部のロウバイの花と、１２重量部のペパーミントと、１０重量部のカンゾウと、８重量部のヨモギの葉と、８重量部のショウブの根茎と、１２重量部のラベンダーと、１０重量部のレモングラスとからなる植物混合物から作られる。植物混合物は抽出を経て、ブレンド精油を得、次に、このブレンド精油が１１００倍に希釈される。植物エキス液は、殺菌、滅菌、および皮膚への利益の特徴を有する。また、植物エキス液は、陰イオン材が運ぶことのできる酸素の量を増す能力を有する。
【００４０】
漢方エキス層４は、抽出された漢方エキス液に浸されたパフコットン層である。漢方エキス液は、１２重量部の乾燥ジオウ根と、１６重量部のゲンジンと、８重量部のアンゼリカと、１６重量部のスイカズラの花と、１２重量部のレンギョウの実と、１２重量部のバイカリンと、１２重量部のセキシャクの根と、８重量部のボタンの樹皮と、１２重量部のブクリョウの皮と、５重量部のカンゾウと、１５重量部のクジンと、１８重量部のオカゼリの実と、１８重量部のジフシと、１８重量部のハクセンビと、８量部のサンショウの皮と、４重量部の岩塩とを含む漢方薬草の混合物から作られる。漢方薬草の混合物は、調理され、濾過され、次に精製されて、漢方エキス液を得る。漢方エキス液は、女性の外陰部のかゆみ、異常な白帯下、および膣炎に著しい有益な効果を有する。
【００４１】
遠赤外陰イオン繊維層３は、１０重量％の陰イオン母粒子と、１０重量％の遠赤外母粒子と、ホモポリマー担体または紡糸液との混合物から作られる繊維から織られる。陰イオン母粒子は、大気中の陰イオンを活性化するナノグレードのトルマリン微粉末から作られる。遠赤外母粒子は、遠赤外線を活性化するナノグレードの遠赤外セラミック微粉末から作られる。遠赤外陰イオン繊維層３は、陰イオンおよび遠赤外線を自動的に放出できる。
【００４２】
吸収層５は、ナノ銀および竹炭を加えられる。加えられるのは、２０ｎｍ未満の直径を有するナノ銀５重量部と、１０重量部の竹酢と、１０重量部の竹炭とを含む。吸収層に付着されるナノ銀の量は、４００μｇ／ｃｍ２である。
【００４３】
接着層７は、中断された縞の接着層であり、この層が空気流を改善する。
【００４４】
実施形態６
図３に示すように、本実施形態と実施形態５との違いは、漢方エキス層４が除外されていることである。その他の構成は、実施形態５の生理用ナプキン／パッドと実質的に同じである。
【００４５】
実施形態７
図４は、この考案の実施形態７の生理用ナプキン／パッドを説明するための断面の概略図である。図４に示すように、本実施形態と実施形態１との違いは、遠赤外陰イオン錯体生理用ナプキン／パッドが、上層から下層に順に、織物層１、遠赤外陰イオン繊維層３、植物エキス層２、漢方エキス層４、吸収層５、防水被覆層６、および接着層７を含むことである。
【００４６】
実施形態８
図５は、この考案の実施形態８の生理用ナプキン／パッドを説明するための断面の概略図である。図５に示すように、本実施形態と実施形態７との違いは、漢方エキス層４が除外されていることである。その他の構成は、実施形態７の生理用ナプキン／パッドと実質的に同じである。
【００４７】
本考案は、特定の実施形態を参照して説明されてきたが、本考案は、これらの実施形態に限定されるものと解釈されるものではない。本考案の範囲および精神からいかようにも逸脱することなく、様々な変更例および修正例が実施形態に行われることができる。従って、以上の実施形態において各要素の個数、数量、量、範囲等の数に言及した場合、特に明示した場合や原理的に明らかにその数に特定される場合を除いて、その言及した数に限定されるものではない。また、実施の形態において説明する構造や、方法等は、特に明示した場合や明らかに原理的にそれに特定される場合を除いて、この考案に必ずしも必須のものではない。
【図面の簡単な説明】
【００４８】
【図１】本考案の好ましい実施形態に従った生理用ナプキン／パッドの概略図である。
【図２】実施形態１、３および５の遠赤外陰イオン錯体生理用ナプキン／パッドの概略断面図である。
【図３】実施形態２、４および６の遠赤外陰イオン錯体生理用ナプキンの概略断面図である。
【図４】実施形態７の遠赤外陰イオン錯体生理用ナプキン／パッドの概略断面図である。
【図５】実施形態８の遠赤外陰イオン錯体生理用ナプキン／パッドの概略断面図である。
【符号の説明】
【００４９】
１  織物層
２  植物エキス層
３  遠赤外陰イオン繊維層
４  漢方エキス層
５  吸収層
６  防水被覆層
７  接着層
【図１】
0003141192.tif 000003
【図２】
0003141192.tif 000004
【図３】
0003141192.tif 000005
【図４】
0003141192.tif 000006
【図５】
0003141192.tif 000007